(57)【要約】【課題】肌荒れが生じにくい吸収性物品とする。【解決手段】表面シート１、吸収体３が、この順に備えられた吸収性物品１０であって、表面シート１が、凹凸な又は凸とフラットなヒートエンボス及び超音波エンボスの少なくともいずれか一方を付与されている。【選択図】図４
2007043474.tif 000002
【特許請求の範囲】
【請求項１】
表面シート、吸収体を、この順に備えられた吸収性物品であって、
前記表面シートが、凹凸な又は凸とフラットなヒートエンボス及び超音波エンボスの少なくとも一方を付与されている、ことを特徴とする吸収性物品。
【請求項２】
表面シート、セカンドシート、吸収体を、この順に備えられた吸収性物品であって、
前記表面シート及び前記セカンドシートが、凹凸な又は凸とフラットなヒートエンボス及び超音波エンボスの少なくとも一方を、積層状態で付与されて、貼り合わされている、ことを特徴とする吸収性物品。
【請求項３】
表面シート、セカンドシート、吸収体を、この順に備えられた吸収性物品であって、
前記表面シート、前記セカンドシート及び前記吸収体が、凹凸な又は凸とフラットなヒートエンボス及び超音波エンボスの少なくとも一方を、積層状態で付与されて、貼り合わされている、ことを特徴とする吸収性物品。
【請求項４】
前記エンボスの深さが、このエンボスを付与された部材の厚み計以上とされている、請求項１〜３のいずれか１項に記載の吸収性物品。
【請求項５】
前記エンボスの面積が、前記表面シート及び前記セカンドシートの積層面積の５０〜１００％とされている、請求項２〜４のいずれか１項に記載の吸収性物品。
【請求項６】
前記ヒートエンボスが、前記表面シート側から前記セカンドシート側に向かって細くなる漏斗状とされている、請求項２〜５のいずれか１項に記載の吸収性物品。
【請求項７】
前記ヒートエンボスは、４０〜２５０℃で付与されている、請求項１〜６のいずれか１項に記載の吸収性物品。
【請求項８】
ロール表面に凸部が複数設けられた凸ロールと、ロール表面に前記凸部が嵌入する凹部が複数設けられた凹ロールと、からなるエンボスロールで、表面シートにエンボスを付与して、このエンボスが付与された表面シート、吸収体が、この順に備えられた吸収性物品を製造する方法であって、
前記エンボスロールとして、前記凸ロールと前記凹ロールとが異型のものを用いる、ことを特徴とする吸収性物品の製造方法。
【請求項９】
前記エンボスロールとして、前記凸部が逆すり鉢状の凸ロールと、相互に隣接する凹部の境界が格子状の凹ロールと、からなるものを用いて、
前記凸部及びこれと対応する前記凹部によって形成されたカップ部と、相互に隣接する凸部間及びこの凸部間に嵌入する前記格子状部によって形成された肌当り部と、を有するエンボスを付与する、請求項８記載の吸収性物品の製造方法。
【請求項１０】
ロール表面に凸部が複数設けられた凸ロールと、ロール表面に前記凸部が嵌入する凹部が複数設けられた凹ロールと、からなるエンボスロールで、表面シート及びセカンドシートにエンボスを付与して、このエンボスが付与された表面シート及びセカンドシート、吸収体が、この順に備えられた吸収性物品を製造する方法であって、
前記エンボスロールとして、前記凸ロールと前記凹ロールとが異型のものを用いる、ことを特徴とする吸収性物品の製造方法。
【請求項１１】
前記エンボスロールとして、前記凸部が逆すり鉢状の凸ロールと、相互に隣接する凹部の境界が格子状の凹ロールと、からなるものを用いて、
前記凸部及びこれと対応する前記凹部によって形成されたカップ部と、相互に隣接する凸部間及びこの凸部間に嵌入する前記格子状部によって形成された肌当り部と、を有するエンボスを付与する、請求項１０記載の吸収性物品の製造方法。
【請求項１２】
前記表面シートと前記セカンドシートとを、接着剤によって接着してもよい、請求項１０又は請求項１１記載の吸収性物品の製造方法。
【請求項１３】
３０ｍｍ＜＝前記エンボスを付与する幅＜＝前記セカンドシートの幅＜＝１２０ｍｍ＜＝前記表面シートの幅＜＝２５０ｍｍの関係を満たすようにする、請求項１０〜１２のいずれか１項に記載の吸収性物品の製造方法。
【請求項１４】
０．１０ｍｍ＜＝前記表面シートの厚み＜＝前記セカンドシートの厚み＜＝２．５０ｍｍで、かつ、１５ｇ／ｍ2＜＝前記表面シートの目付け＜＝前記セカンドシートの目付け＜＝８０ｇ／ｍ2の関係を満たすようにする、請求項１０〜１３のいずれか１項に記載の吸収性物品の製造方法。
【請求項１５】
前記凸ロール及び前記凹ロールに熱を加える場合において、
０．０１ｍｍ＜＝前記凸ロールと前記凹ロールとのクリアランス＜＝前記表面シート及び前記セカンドシートの厚み計＜＝３．０ｍｍの関係を満たすようにする、請求項１０〜１４のいずれか１項に記載の吸収性物品の製造方法。
【請求項１６】
前記凸ロール及び前記凹ロール間に、前記表面シート及び前記セカンドシートを１００〜２５０ｍ／分で通す場合において、前記凸ロール及び前記凹ロール間の油圧を１５〜６０ｋｇｆにする、請求項１０〜１５のいずれか１項に記載の吸収性物品の製造方法。
【請求項１７】
４０℃＜前記凸ロールのロール表面温度＜前記凹ロールのロール表面温度＜２５０℃となるように、前記凸ロール及び前記凹ロールに熱を加える、請求項１０〜１６のいずれか１項に記載の吸収性物品の製造方法。
【請求項１８】
前記表面シートの素材構成と前記セカンドシートの素材構成とを、同一とする、請求項１７記載の吸収性物品の製造方法。
【請求項１９】
前記表面シート及び前記セカンドシートを、前記凸ロール上を通し前記凹ロールでニップして貼り合わせる、請求項１０〜１８のいずれか１項に記載の吸収性物品の製造方法。
【請求項２０】
前記エンボスロールとして、エンボス付与部位の側方はニップしないものを用いる、請求項１０〜１９のいずれか１項に記載の吸収性物品の製造方法。
【請求項２１】
請求項８〜２０のいずれか１項に記載の方法によって製造された、ことを特徴とする吸収性物品。
【発明の詳細な説明】
【技術分野】
【０００１】
本発明は、紙おむつや、生理用ナプキン、尿取りパッド、失禁パッド等の吸収性物品及びその製造方法に関するものである。より詳しくは、表面シート、吸収体が、この順に備えられた吸収性物品及びその製造方法に関するものである。
【背景技術】
【０００２】
この種の吸収性物品としては、（１）吸収体の表面が表面シートで覆われたものや、（２）この改良形態として、体液の拡散性向上などが図られた、表面シートと吸収体との間にセカンドシートが介在されたもの、（３）この改良形態として、表面シートのよれ防止などが図られた、表面シートとセカンドシートとがホットメルト等の接着剤で接着されたもの、などがある（例えば、特許文献１、特許文献２参照。）。【０００３】
しかしながら、これら（１）〜（３）の吸収性物品においては、表面シートが使用者の肌と擦れることになるため、かぶれ等の肌荒れが生じ易い。【０００４】
一方、この種の吸収性物品の製造方法としては、図５に示すように、ロール表面１１１ａに凸部１１３が複数設けられた凸ロール１１１と、ロール表面１１２ａに凸部１１３が嵌入する凹部１１４が複数設けられた凹ロール１１２と、からなるエンボスロール１１０で、図６に示すように、表面シート１０１にエンボス１０３を付与して、このエンボス１０３が付与された表面シート１０１、吸収体１０２が、この順に備えられた吸収性物品１００を製造する方法がある。【０００５】
この従来の方法において用いるエンボスロール１１０は、凸ロール１１１と凹ロール１１２とが同型であり、凸部１１３及びこれに対応する凹部１１４によってエンボス１０３が形成され、また、相互に隣接する凸部１１３間及びこの凸部１１３間に突き当たる相互に隣接する凹部１１４間によって相互に隣接するエンボス１０３間の肌当り部１０１ａが形成される。【０００６】
しかしながら、この従来の方法によると、表面シート１０１は、肌当り部１０１ａの面積、つまり、使用者の肌と接触する部位の面積が広いものとなるため、得られる吸収性物品は、かぶれ等の肌荒れが生じ易いものとなる（例えば、特許文献３参照。）。
【特許文献１】特開２００２−１８７２２８号公報
【特許文献２】特開２００３−２５０８３６号公報
【特許文献３】特開平９−２３４２２１号公報
【発明の開示】
【発明が解決しようとする課題】
【０００７】
本発明が解決しようとする主たる課題は、肌との接触面積を減少させ、軟便の吸収性に優れ、肌荒れが生じにくい吸収性物品及びその製造方法を提供することにある。
【課題を解決するための手段】
【０００８】
この課題を解決した本発明は、次のとおりである。
〔請求項１記載の発明〕
表面シート、吸収体を、この順に備えられた吸収性物品であって、
前記表面シートが、凹凸な又は凸とフラットなヒートエンボス及び超音波エンボスの少なくとも一方を付与されている、ことを特徴とする吸収性物品。【０００９】
〔請求項２記載の発明〕
表面シート、セカンドシート、吸収体を、この順に備えられた吸収性物品であって、
前記表面シート及び前記セカンドシートが、凹凸な又は凸とフラットなヒートエンボス及び超音波エンボスの少なくとも一方を、積層状態で付与されて、貼り合わされている、ことを特徴とする吸収性物品。【００１０】
〔請求項３記載の発明〕
表面シート、セカンドシート、吸収体を、この順に備えられた吸収性物品であって、
前記表面シート、前記セカンドシート及び前記吸収体が、凹凸な又は凸とフラットなヒートエンボス及び超音波エンボスの少なくとも一方を、積層状態で付与されて、貼り合わされている、ことを特徴とする吸収性物品。【００１１】
〔請求項４記載の発明〕
前記エンボスの深さが、このエンボスを付与された部材の厚み計以上とされている、請求項１〜３のいずれか１項に記載の吸収性物品。【００１２】
〔請求項５記載の発明〕
前記エンボスの面積が、前記表面シート及び前記セカンドシートの積層面積の５０〜１００％とされている、請求項２〜４のいずれか１項に記載の吸収性物品。【００１３】
〔請求項６記載の発明〕
前記ヒートエンボスが、前記表面シート側から前記セカンドシート側に向かって細くなる漏斗状とされている、請求項２〜５のいずれか１項に記載の吸収性物品。【００１４】
〔請求項７記載の発明〕
前記ヒートエンボスは、４０〜２５０℃で付与されている、請求項１〜６のいずれか１項に記載の吸収性物品。【００１５】
（請求項１〜７の主な作用効果）
・  表面シートにエンボスが付与されおり、しかも、このエンボスが凹凸な又は凸とフラットなものであると、使用者の肌との接触面積が減る。したがって、肌荒れが生じにくくなる。【００１６】
・  エンボスが、表面シート及びセカンドシートに積層状態で付与されて、これにより、表面シートとセカンドシートとが貼り合わされていると、セカンドシート上において表面シートがよれることがなくなるため、表面シートのよれを原因とする肌荒れが生じにくくなる。【００１７】
・  エンボスが、表面シート及びセカンドシートに積層状態で付与されて、これにより、表面シートとセカンドシートとが貼り合わされていると、表面シートとセカンドシートとを接着剤で接着する必要がなくなるため、接着剤によって表面シートがごわつくのが防止され、表面シートのごわつきを原因とする肌荒れが生じにくくなる。【００１８】
・  エンボスが、表面シート、セカンドシート及び吸収体に積層状態で付与されて、これにより、表面シート、セカンドシート及び吸収体が貼り合わされていると、表面シート及びセカンドシートと吸収体とを接着剤で接着する必要がなくなるため、接着剤によって表面シート及びセカンドシートがごわつくのが防止され、表面シート及びセカンドシートのごわつきを原因とする肌荒れが生じにくくなる。【００１９】
・  表面シートにエンボスが付与されているので、表面シートのフラット性が減り、したがって、尿・軟便の表面シート上での拡散が減る。【００２０】
・  エンボスの深さが、このエンボスを付与された部材の厚み計（各部材の厚みを足した厚み）以上とされているので、表面シートの凹凸が鮮明になる。【００２１】
・  エンボスの面積が、表面シート及びセカンドシートの積層面積（積層関係にある部位の面積）の５％以上とされているので、尿又は軟便が拡散するほとんどの部分にエンボスが入っていることになる。【００２２】
・  エンボスが、表面シート側からセカンドシート側に向かって細くなる漏斗状とされているので、エンボスの中に尿や軟便が溜まる。したがって、肌と尿や軟便との接触が減る。【００２３】
・  エンボスが、表面シート側からセカンドシート側に向かって細くなる漏斗状とされているので、表面シートから下層に吸収された尿や軟便が下層から戻りにくくなっている。したがって、荷重下の逆戻りが防止される。【００２４】
・  エンボスロールを４０〜２５０℃に加熱してエンボスすることで、良好なエンボスパターンを付与することができる。【００２５】
〔請求項８記載の発明〕
ロール表面に凸部が複数設けられた凸ロールと、ロール表面に前記凸部が嵌入する凹部が複数設けられた凹ロールと、からなるエンボスロールで、表面シートにエンボスを付与して、このエンボスが付与された表面シート、吸収体が、この順に備えられた吸収性物品を製造する方法であって、
前記エンボスロールとして、前記凸ロールと前記凹ロールとが異型のものを用いる、ことを特徴とする吸収性物品の製造方法。【００２６】
〔請求項９記載の発明〕
前記エンボスロールとして、前記凸部が逆すり鉢状の凸ロールと、相互に隣接する凹部の境界が格子状の凹ロールと、からなるものを用いて、
前記凸部及びこれと対応する前記凹部によって形成されたカップ部と、相互に隣接する凸部間及びこの凸部間に嵌入する前記格子状部によって形成された肌当り部と、を有するエンボスを付与する、請求項８記載の吸収性物品の製造方法。【００２７】
〔請求項１０記載の発明〕
ロール表面に凸部が複数設けられた凸ロールと、ロール表面に前記凸部が嵌入する凹部が複数設けられた凹ロールと、からなるエンボスロールで、表面シート及びセカンドシートにエンボスを付与して、このエンボスが付与された表面シート及びセカンドシート、吸収体が、この順に備えられた吸収性物品を製造する方法であって、
前記エンボスロールとして、前記凸ロールと前記凹ロールとが異型のものを用いる、ことを特徴とする吸収性物品の製造方法。【００２８】
〔請求項１１記載の発明〕
前記エンボスロールとして、前記凸部が逆すり鉢状の凸ロールと、相互に隣接する凹部の境界が格子状の凹ロールと、からなるものを用いて、
前記凸部及びこれと対応する前記凹部によって形成されたカップ部と、相互に隣接する凸部間及びこの凸部間に嵌入する前記格子状部によって形成された肌当り部と、を有するエンボスを付与する、請求項１０記載の吸収性物品の製造方法。【００２９】
〔請求項１２記載の発明〕
前記表面シートと前記セカンドシートとを、接着剤によって接着してもよい、請求項１０又は請求項１１記載の吸収性物品の製造方法。【００３０】
〔請求項１３記載の発明〕
３０ｍｍ＜＝前記エンボスを付与する幅＜＝前記セカンドシートの幅＜＝１２０ｍｍ＜＝前記表面シートの幅＜＝２５０ｍｍの関係を満たすようにする、請求項１０〜１２のいずれか１項に記載の吸収性物品の製造方法。【００３１】
〔請求項１４記載の発明〕
０．１０ｍｍ＜＝前記表面シートの厚み＜＝前記セカンドシートの厚み＜＝２．５０ｍｍで、かつ、１５ｇ／ｍ2＜＝前記表面シートの目付け＜＝前記セカンドシートの目付け＜＝８０ｇ／ｍ2の関係を満たすようにする、請求項１０〜１３のいずれか１項に記載の吸収性物品の製造方法。【００３２】
〔請求項１５記載の発明〕
前記凸ロール及び前記凹ロールに熱を加える場合において、
０．０１ｍｍ＜＝前記凸ロールと前記凹ロールとのクリアランス＜＝前記表面シート及び前記セカンドシートの厚み計＜＝３．０ｍｍの関係を満たすようにする、請求項１０〜１４のいずれか１項に記載の吸収性物品の製造方法。【００３３】
〔請求項１６記載の発明〕
前記凸ロール及び前記凹ロール間に、前記表面シート及び前記セカンドシートを１００〜２５０ｍ／分で通す場合において、前記凸ロール及び前記凹ロール間の油圧を１５〜６０ｋｇｆにする、請求項１０〜１５のいずれか１項に記載の吸収性物品の製造方法。【００３４】
〔請求項１７記載の発明〕
４０℃＜前記凸ロールのロール表面温度＜前記凹ロールのロール表面温度＜２５０℃となるように、前記凸ロール及び前記凹ロールに熱を加える、請求項１０〜１６のいずれか１項に記載の吸収性物品の製造方法。【００３５】
〔請求項１８記載の発明〕
前記表面シートの素材構成と前記セカンドシートの素材構成とを、同一とする、請求項１７記載の吸収性物品の製造方法。【００３６】
〔請求項１９記載の発明〕
前記表面シート及び前記セカンドシートを、前記凸ロール上を通し前記凹ロールでニップして貼り合わせる、請求項１０〜１８のいずれか１項に記載の吸収性物品の製造方法。【００３７】
〔請求項２０記載の発明〕
前記エンボスロールとして、エンボス付与部位の側方はニップしないものを用いる、請求項１０〜１９のいずれか１項に記載の吸収性物品の製造方法。【００３８】
〔請求項２１記載の発明〕
請求項８〜２０のいずれか１項に記載の方法によって製造された、ことを特徴とする吸収性物品。【００３９】
（請求項８〜２１の主な作用効果）
この効果は、後述する。
【発明の効果】
【００４０】
本発明によると、肌荒れが生じにくい吸収性物品及びその製造方法となる。
【発明を実施するための最良の形態】
【００４１】
次に、本発明の実施の形態を説明する。なお、本発明は、表面シートにエンボスが付与された形態（セカンドシートが存在しない形態も含む。）、表面シート及びセカンドシートにエンボスが付与された形態、表面シート、セカンドシート及び吸収体にエンボスが付与された形態のいずれをも含む。以下では、実施の形態として、表面シート及びセカンドシートにエンボスが付与された形態（セカンドシートが存在する形態）について説明するが、もちろん、これに限定する趣旨ではない。【００４２】
〔用途〕
本発明の吸収性物品としては、例えば、紙おむつや、生理用ナプキン、尿取りパッド、失禁パッド等を例示することができる。以下、本実施の形態では、吸収性物品が、使い捨て紙おむつである場合を例に説明する。【００４３】
〔使い捨て紙おむつ〕
図１及び図２に示すように、本実施の形態の使い捨て紙おむつ１０は、表面シート１と、裏面シート２と、これらのシート１，２の間に介在された吸収体３と、この吸収体３と表面シート１との間に介在されたセカンドシート４と、から主になる。【００４４】
表面シート１及び裏面シート２は、本紙おむつ１０の平面外形と同じ形状とされており、その前後端部及び両側端部が、吸収体３の前後端縁又は両側端縁よりも前後方又は側方へ延出している。この表面シート１及び裏面シート２の側方への延出は、特に、長手方向前後端部において、長くなっている。この長く延出した部位には、例えば、図示しない止着テープ等が取り付けられる。また、表面シート１及び裏面シート２は、かかる延出部において、接合されている。この接合の方法は、特に限定されない。例えば、ホットメルト接着、超音波シール、ヒートシール（熱融着）、ヒートプレス（熱圧着）又はこれらの組み合わせによることができる。一方、吸収体３は、その全体が、クレープ紙やティシュペーパー等からなる被包シート５によって、被包されている。この被包によって、吸収体３の形状が保持される。【００４５】
本形態の紙おむつ１０は、表面シート１及びセカンドシート４が、ホットメルト等の接着剤で貼り合わされていない。図３及び図４に示すように、表面シート１及びセカンドシート４が、ヒートエンボス及び超音波エンボスの少なくとも一方のエンボス６を、積層状態で付与されることによって、貼り合わされている。したがって、接着剤によって、表面シート１がごわごわしてしまい、肌荒れが生じ易くなる、との問題が生じない。また、エンボス６の付与により、表面シート１とセカンドシート４とが密着し、これらのシート１，４間に空隙が形成されてしまうことがなくなる。したがって、体液は直ちに吸収体３に吸収されることになり、かかる空隙に体液が留まり、この留まった体液が表面シート１を介して逆戻りするおそれがなくなる。なお、表面シート１及びセカンドシート４は、ホットメルト等の接着剤で貼り合わせることもできるが、その場合は、エンボスを付与しても表面シート１から接着剤がしみ出してこない、例えば、主成分：スチレン‐ブタジエン‐スチレンブロック共重合体、添加分：紫外線吸収剤添加、（臭気の原因となる）ロジン無添加、揮発分：２．０％以下、灰分：０．５％以下、１５０℃融解粘度：５０００±１５００ｍＰａ・ｓ（ＪＩＳ  Ｋ‐６８６２‐１９８４に準拠）、軟化度：８４．０±７．０℃（ＪＩＳ  Ｋ‐６８６３‐１９９４に準拠）のホットメルト接着剤を使用するのが好ましい。【００４６】
本形態において、エンボス６は、凹凸又は凸とフラットとなっている。したがって、表面シート１と使用者の肌との接触面積が減り、肌荒れが防止される。【００４７】
本形態のエンボス６は、以上の要件を満たす限り、形状，深さ、ピッチ等を、適宜設計変更することができる。ただし、エンボス６の深さＬは、表面シート１及びセカンドシート４の厚み計（表面シート１の厚みＭとセカンドシート４の厚みＮとを足した厚み。なお、表面シート１のみにエンボス６を付与した場合は、表面シート１の厚みで、表面シート１、セカンドシート４及び吸収体３にエンボス６を付与した場合は、表面シート１の厚みＭとセカンドシート４の厚みＮと吸収体の厚みとを足した厚みである。）以上とされているのが好ましい。エンボスの形状を鮮明に入れ、形状を保持するためである。例えば、表面シート１の厚みＭが０．１〜０．７ｍｍ、セカンドシート４の厚みＮが０．１〜１．０ｍｍの場合は、エンボス６の深さＬを０．２〜１．７ｍｍ、好ましくは０．２５〜４．０ｍｍとすることができる。【００４８】
また、エンボス６の面積は、表面シート１及びセカンドシート４の積層面積（積層関係にある部位の面積）の５〜１００％とされているのが好ましく、２５〜８０％とされているのがより好ましい。エンボス６の面積が、表面シート１及びセカンドシート４の積層面積の５％以上とされていると、尿や軟便の表面シート１での拡散が減る。なお、図１に示すように、セカンドシート４が表面シート１で覆われている本形態では、エンボス面積１００％の場合の積層面積は、セカンドシート４の面積と同じである。【００４９】
さらに、エンボス６は、図４に示すように、表面シート１側からセカンドシート４側に向かって細くなる漏斗状とされているのが好ましい。ヒートエンボス６が、表面シート１側からセカンドシート４側に向かって細くなる漏斗状とされていると、ヒートエンボス６の中に尿や軟便が溜まる。したがって、肌と尿や軟便との接触が減る。また、エンボス６が、表面シート１側からセカンドシート４側に向かって細くなる漏斗状とされていると、表面シート１から下層に吸収された尿や軟便が下層から戻りにくくなる。したがって、荷重下の逆戻りが防止される。【００５０】
エンボス６を漏斗状とする場合は、直径Ｄを１．０〜５．０ｍｍ、好ましくは１．８〜３．６ｍｍ、ピッチＰを１．０〜５．０ｍｍ、好ましくは２．５〜３．５ｍｍとすることができる。【００５１】
また、エンボス６は、漏斗状とするか否かに関わらず、ヒートエンボスとする場合、４０〜２５０℃で付与されているのが好ましく、８０〜２５０℃で付与されているのがより好ましい。エンボス温度が４０℃未満であると、十分なエンボスパターンが入らず、２５０℃を超えるとシートが硬くなる。また、ヒートエンボスが８０℃以上で付与されていると、ＣＯ−ＰＰなどの融点の低い繊維が完全に溶けるわけではなく、表面層が溶け、表面層と表面層とが接着する。また、ヒートエンボスが２５０℃以下で付与されていると、ＰＥＴ、アセテートなどの融点が高い素材なども表面層のみが溶け、繊維間同士が接着する。【００５２】
柔らかいシートを得るために、エンボスを付与するシートの原料繊維には、ポリオレフィン、特にポリエチレンやポリプロピレンが好適に用いられるが、これらの樹脂は融点が１００〜１７０℃の温度範囲にあるものが一般的であるため、これらの樹脂を原料とする繊維、またはこれらの樹脂を複合した繊維により形成された不織布にエンボスを付与する場合は、エンボス温度は８０〜１８０℃で付与するのが好ましい。また、表面シートとセカンドシートの良好な接着と柔らかさを両立する上では、１００〜１３０℃で付与されているのが特に好ましい。【００５３】
〔使い捨て紙おむつの製造方法〕
本形態の製造方法においては、図７に示すような、ロール表面に凸部３３が複数設けられた凸ロール３１と、ロール表面に凸部３３が嵌入する凹部３４が複数設けられた凹ロール３２と、からなるエンボスロール４０で、表面シート１及びセカンドシート４にエンボスを付与する。そして、エンボスロール４０として、凸ロール３１と凹ロール３２とが異型のものを用いる。これにより、表面シート１及びセカンドシート４は、使用者の肌と接触する部位の面積が狭いものとなるため、得られる使い捨て紙おむつ１０等の吸収性物品は、かぶれ等の肌荒れが生じにくいものとなる。ここで、凸ロール３１と凹ロール３２とが異型であるとは、凸ロール３１のパターン形状と凹ロール３２のパターン形状とが異なる（一方のロールがプレーン（フラット）であってもよい。）ことをいう。【００５４】
本形態においては、凸ロール３１と凹ロール３２とが、それぞれどのよう形状で異型となっているかは、特に限定されない。ただし、図８及び図９に示すように、凸部３３が、例えば、先端面は、円形、楕円形、正方形、長方形、菱形等の、図示例では菱形である逆すり鉢状で、かつ、図１０及び図１１に示すように、相互に隣接する凹部３４の境界が格子状（格子状部３６）となっているのが好ましい。この形態によると、凸ロール３１及び凹ロール３２のニップ状態が、図１２及び図１３に示すようになるため（なお、図１３においては、凸ロール３１を点線で示しているが、これは凸ロール３１と凹ロール３２とを明確に区別するためであり、陰線とする趣旨ではない。）、表面シート１及びセカンドシート４に、凸部３３及びこれと対応する凹部３４によって形成されたカップ部と、相互に隣接する凸部間３５及びこの凸部間３５に嵌入する格子状部３６によって形成された肌当り部と、を有するエンボスが付与される。したがって、得られる使い捨て紙おむつ１０等の吸収性物品は、カップ部によって尿や軟便が保持される、肌当り部によって尿や軟便の拡散が阻止される、使用者の肌と接触する部位が肌当り部のみとなり、肌との接触面積が狭くなるため、肌荒れが生じにくくなる、カップ部及び肌当り部によってワッフル調となるため、柔らか感を与える、ものとなる。【００５５】
また、凸ロール３１と凹ロール３２とが異型となっている形態としては、図１４及び図１５に示すように、凸部３３が、例えば、先端面は、円形、楕円形、正方形、長方形、菱形等の、図示例では円形である逆すり鉢状で、かつ、図１６〜１８に示すように、相互に隣接する凹部３４の境界が稜線状等の格子状（格子状部３６）となっており、この格子状部３６の先端面に幅狭の突部３７が設けられた形態も、好ましいものとして例示することができる。本形態によると、凸ロール３１及び凹ロール３２のニップ状態が、図１９〜２１に示すようになる（なお、図２０及び図２１においては、凸ロール３１を点線で示しているが、これは凸ロール３１と凹ロール３２とを明確に区別するためであり、陰線とする趣旨ではない。）。したがって、表面シート１及びセカンドシート４に形成されるエンボスは、先の形態と同様に、凸部３３及びこれと対応する凹部３４によって形成されたカップ部、及び、相互に隣接する凸部間３５及びこの凸部間３５に嵌入する格子状部３６によって形成された肌当り部と、を有するものになり、先の形態と同様の作用効果を有するものとなる。加えて、本形態では、格子状部３６の先端面に幅狭の突部３７が設けられているため、肌当り部がより狭いものとなり、得られる使い捨て紙おむつ１０等の吸収性物品は、肌との接触面積がより狭くなって、一段と肌荒れが生じくいものとなる。また、同様に、本形態では、格子状部３６の先端面に幅狭の突部３７が設けられているため、肌当り部がより鮮明に付与されることになり、得られる使い捨て紙おむつ１０等の吸収性物品は、一段とワッフル調の柔らか感を与えるものとなる。さらに、凹凸を逆パターンにすれば、凸部３３のみが肌と接するようになるため、肌との接触面積が減り、ふっくら柔らかいキルト調のパターンとすることができる。【００５６】
本形態において、エンボスを付与するにあたっては、３０ｍｍ＜＝エンボスを付与する幅＜＝セカンドシート４の幅＜＝１２０ｍｍ＜＝表面シート１の幅＜＝２５０ｍｍの関係を満たすようにするのが好ましく、７０ｍｍ＜＝エンボスを付与する幅＜＝セカンドシート４の幅＜＝９０ｍｍ＜＝表面シート１の幅＜＝１８０ｍｍの関係を満たすようにするのがより好ましい。エンボスを付与する幅が３０ｍｍ未満であると、エンボス効果（便吸収・肌面積）が得られにくく、表面シート１とセカンドシート４との接着強度が実使用に耐えられなくなる（剥がれる）。セカンドシート４の幅が１２０ｍｍを超えると、他シートの接着部位の強度が落ち好ましくない。表面シート１の幅が１２０ｍｍ未満であると、表面シート１に他シート（ギャザーシートなど）を接着できなくなり、また、接着性も弱く好ましくない。表面シート１の幅が２５０ｍｍを超えると、吸収体３に巻き込ますか、カットするかしかなく、無駄な資材となる。【００５７】
また、本形態においては、０．１０ｍｍ＜＝表面シート１の厚み＜＝セカンドシート４の厚み＜＝２．５０ｍｍで、かつ、１５ｇ／ｍ2＜＝表面シート１の目付け＜＝セカンドシート４の目付け＜＝８０ｇ／ｍ2の関係を満たすようにするのが好ましく、０．１５ｍｍ＜＝表面シート１の厚み＜＝セカンドシート４の厚み＜＝２．８５ｍｍで、かつ、２０ｇ／ｍ2＜＝表面シート１の目付け＜＝セカンドシート４の目付け＜＝４０ｇ／ｍ2の関係を満たすようにするのがより好ましい。表面シート１の厚みが０．１５ｍｍ未満であると、不織布自体の製造が困難であり、また、疎密や濃淡ムラによりエンボスの見栄えに悪影響を与える。表面シート１の厚みがセカンドシート４の厚みを超えると、表面シート１に尿や便を保持し、吸収体３へのひきこみを悪くするおそれがある。セカンドシート４の厚みが２．３５ｍｍを超えると、目付けがあがりコストアップとなる。また、表面シート１の目付けが１５ｇ／ｍ2未満であると、不織布自体の製造が困難であり、また、疎密や濃淡ムラによりエンボスの見栄えに悪影響を与える。表面シート１の目付けがセカンドシート４の目付けを超えると、表面シート１に尿や便を保持し、吸収体３へのひきこみを悪くするおそれがある。セカンドシート４の目付けが８０ｇ／ｍ2を超えると、目付けがあがりコストアップとなる。さらに、表面シート１及びセカンドシート４の厚み及び目付けを同時に限定するのは、エンボスの見栄えと吸収性とのバランスをとるためである。【００５８】
本形態において、エンボスを付与するにあたって、凸ロール３１及び凹ロール３２に熱を加える場合においては、０．０１ｍｍ＜＝凸ロール３１と凹ロール３２とのクリアランス＜＝表面シート１及びセカンドシート４の厚み計（表面シート１の厚みＭとセカンドシート４の厚みＮとを足した厚み。）＜＝３．０ｍｍの関係を満たすようにするのが好ましく、０．０５ｍｍ＜＝凸ロール３１と凹ロール３２とのクリアランス＜＝表面シート１及びセカンドシート４の厚み計＜＝２．５０ｍｍの関係を満たすようにするのがより好ましい。クリアランスが０．０１ｍｍ未満であると、表面シート１及びセカンドシート４全体に熱が加わるため、両シート１，４が溶けて硬くなるおそれがある。また、高速で製造する場合においては、振動により凸ロール３１と凹ロール３２が互いに干渉し合い、異音の発生や設備部品の破損に至ることもある。クリアランスが表面シート１及びセカンドシート４の厚み計を超えると、エンボスパターンがはいらない。クリアランスが３．０ｍｍを超えると、エンボスが鮮明に付与されず、また、表面シート１及びセカンドシート４がヒートシールされないおそれがある。【００５９】
また、エンボスを付与するにあたって、凸ロール３１及び凹ロール３２間に、表面シート１及びセカンドシート４を１００〜２５０ｍ／分で通す場合においては、凸ロール３１及び凹ロール３２間の油圧を１５〜６０ｋｇｆにするのが好ましく、２０〜４０ｋｇｆにするのがより好ましい。油圧を１５ｋｇｆ以上にするのは、エンボス付与装置の振動によってエンボスロール４０にブレが生じ、設計どおりにエンボスが付与されなくなるのを回避するためである。他方、油圧を６０ｋｇｆ以下にするのは、エンボス付与装置の機械負荷を取り除き寿命延命を図るためである。【００６０】
以上のように凸ロール３１及び凹ロール３２に熱を加えるにあたっては、８０℃＜凸ロール３１のロール表面温度＜凹ロール３２のロール表面温度＜２５０℃となるようにするのが好ましい。凸ロール３１のロール表面温度が凹ロール３２のロール表面温度以上であると、格子のパターンが入る前に凸パターンが鮮明になり過ぎて硬くなる。【００６１】
また、凸ロール３１及び凹ロール３２のロール表面温度をいかなる温度とするかに関わらず、表面シート１の構成素材とセカンドシート４の構成素材とは、同一とするのが好ましい。ヒートシール力が増すためである。ここで、構成素材の同一性とは、原料（例えば、ポリエステル製、ポリエチレン製等。）や、構成繊維の太さ（デニール）・繊維長、製法（例えば、スパンボンド、メルトブローン等。）などが、広く同一であるか否かを意味する。【００６２】
エンボスの付与、表面シート１及びセカンドシート４の貼り合わせは、図７に示すような、凸ロール３１が上側に、凹ロール３２が下側に配置されたエンボスロール４０を用いて行うことができるが、例えば、凸ロール３１が下側に、凹ロール３２が上側に配置されたエンボスロールを用い、表面シート１及びセカンドシート４を、凸ロール３１上を通し凹ロール３２でニップして行うのも好ましい形態である。この形態によると、凸ロール３１によって表面シート１及びセカンドシート４を持ち上げ、凹ロール３２によってシールすることになるため、表面シート１及びセカンドシート４がふっくらし、柔らかさを有するものとなる。【００６３】
また、エンボス付与にあたっては、エンボスロールとして、エンボス付与部位の側方はニップしないものを用いるのが好ましい。表面シート１やセカンドシート４のエンボス付与部位の側方に、シワが入るのを防止する趣旨である。エンボス付与部位の側方をニップしないための、具体的な形状は、特に限定されない。例えば、凸ロール３１及び凹ロール３２を、エンボス付与部位と同じ幅とすることや、図７に示すように、凸ロール３１及び凹ロール３２の少なくともいずれか一方を、エンボス付与部位の側方３１Ａにおいて、細径とすることなどができる。【００６４】
〔各部材の素材等〕
（表面シート１）
表面シート１は、尿や血液等の体液を透過する性質を有する。したがって、表面シート１の素材は、この体液透過性を発現するものであれば足り、例えば、有孔又は無孔の不織布や、多孔性プラスチックシートなどを例示することができる。また、このうち不織布は、その原料繊維が何であるかを、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法等を例示することができる。例えば、柔軟性、ドレープ性を求めるのであれば、スパンレース法が、嵩高性、ソフト性を求めるのであれば、サーマルボンド法が、好ましい加工方法となる。【００６５】
また、本表面シート１は、１枚のシートからなるものであっても、２枚以上のシートが積層されてなる積層シートからなるものであってもよい。同様に、表面シート１は、平面方向に関して、１枚のシートからなるものであっても、２枚以上のシートからなるものであってもよい。【００６６】
（裏面シート２）
裏面シート２は、体液を透過しない性質を有する。したがって、裏面シート２の素材は、この体液不透過性を発現するものであれば足り、例えば、ポリエチレンやポリプロピレン等のオレフィン系樹脂や、ポリエチレンシート等に不織布を積層したラミネート不織布、防水フィルムを介在させて実質的に不透液性を確保した不織布（この場合は、防水フィルムと不織布とで体液不透過性の裏面シート２が構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。【００６７】
（吸収体３）
吸収体３は、体液を吸収し保持する性質を有する。したがって、吸収体３の素材は、この体液吸収・保持性を発現するものであれば足りる。例えば、綿状パルプや合成パルプなどのパルプ単体からなるものや、フラッフ状パルプ中に、粒状粉などとされた吸収性ポリマーが混入されたものなどの、公知の素材を例示することができる。また、このうちのパルプの原料繊維は、特に限定されず、例えば、機械パルプ、化学パルプ、溶解パルプ等の木材から得られるセルロース繊維や、レーヨン、アセテート等の人工セルロース繊維などを例示することができる。ただし、セルロース繊維の原材料となる木材は、広葉樹より針葉樹の方が、繊維長が長いため、機能及び価格の面で好ましい。【００６８】
さらに、吸収体３は、セルロースアセテート等のトウからなる繊維集合体で形成することや、このトウからなる繊維集合体内に吸収性ポリマーを移動させて得た吸収材で形成することもできる。【００６９】
（セカンドシート４）
セカンドシート４は、体液を拡散し透過する性質を有する。したがって、セカンドシート４の素材は、この体液拡散・透過性を発現するものであれば足り、例えば、表面シート１と同様の素材などを例示することができる。ただし、例えば、スパンレース、パルプ不織布、パルプとレーヨンとの混合シート、ポイントボンド又はクレープ紙であると、好ましいものとなる。また、セカンドシート４は、表面シート１よりも体液の透過性がよいものが特に好ましく、表面シート１よりも繊維密度が小さい、例えば、ポリプロピレン、ポリエチレン、ポリエチレンテレフタレート、ポリアミド、ナイロン、レーヨン、ビニロン、アクリル等からなる不織布であると、特に好ましいものとなる。【００７０】
（被包シート５）
被包シート５は、体液を透過する性質を有する。したがって、表面シート１やセカンドシート４として例示したのと同様の素材を例示することができる。
【産業上の利用可能性】
【００７１】
本発明は、例えば、紙おむつや、生理用ナプキン、尿取りパッド、失禁パッド等の吸収性物品及びその製造方法として、適用可能である。
【図面の簡単な説明】
【００７２】
【図１】吸収性物品の平面図である。
【図２】図１のＩ−Ｉ線断面図である。
【図３】表面シートの拡大図である（一部）。
【図４】図３のＩＩ−ＩＩ線断面図である（一部）。
【図５】従来のエンボスロールの正面図である。
【図６】従来の吸収性物品の断面模式図である（要部）。
【図７】本形態のエンボスロールの正面図である。
【図８】本形態の凸ロールの平面図である。
【図９】図８のＩＩＩ−ＩＩＩ線断面図である。
【図１０】本形態の凹ロールの平面図である。
【図１１】図１０のＩＶ−ＩＶ線断面図である。
【図１２】本形態の凸ロール及び凹ロールを付き合わせた状態の平面図である。
【図１３】図１２のＶ−Ｖ線断面図である。
【図１４】本形態の凸ロールの平面図である。
【図１５】図１４のＶＩ−ＶＩ線断面図である。
【図１６】本形態の凹ロールの平面図である。
【図１７】図１６のＶＩＩ−ＶＩＩ線断面図である。
【図１８】図１６のＶＩＩＩ−ＶＩＩＩ線断面図である。
【図１９】本形態の凸ロール及び凹ロールを付き合わせた状態の平面図である。
【図２０】図１９のＩＸ−ＩＸ線断面図である。
【図２１】図１９のＸ−Ｘ線断面図である。
【符号の説明】
【００７３】
１…表面シート、２…裏面シート、３…吸収体、４…セカンドシート、５…被包シート、６…ヒートエンボス、１０…紙おむつ、３１，１１１…凸ロール、３２，１１２…凹ロール、３３，１１３…凸部、３４，１１４…凹部、３５…凸部間、３６…格子状部、４０，１１０…エンボスロール、１００…吸収性物品（使い捨て紙おむつ等）、１０１…表面シート、１０２…吸収体。
【図１】
2007043474.tif 000003
【図２】
2007043474.tif 000004
【図３】
2007043474.tif 000005
【図４】
2007043474.tif 000006
【図５】
2007043474.tif 000007
【図６】
2007043474.tif 000008
【図７】
2007043474.tif 000009
【図８】
2007043474.tif 000010
【図９】
2007043474.tif 000011
【図１０】
2007043474.tif 000012
【図１１】
2007043474.tif 000013
【図１２】
2007043474.tif 000014
【図１３】
2007043474.tif 000015
【図１４】
2007043474.tif 000016
【図１５】
2007043474.tif 000017
【図１６】
2007043474.tif 000018
【図１７】
2007043474.tif 000019
【図１８】
2007043474.tif 000020
【図１９】
2007043474.tif 000021
【図２０】
2007043474.tif 000022
【図２１】
2007043474.tif 000023
【手続補正書】
【提出日】平成20年5月19日(2008.5.19)
【手続補正１】
【補正対象書類名】特許請求の範囲
【補正対象項目名】全文
【補正方法】変更
【補正の内容】
【特許請求の範囲】
【請求項１】
表面シートと、裏面シートと、これらの間に介在された吸収体とからなり、少なくとも前記表面シートに凹凸なエンボスを付与されている吸収性物品であって、
前記凹凸なエンボスは、
前記表面シートの肌当接面側から凸エンボスを肌非当接面側から凹エンボスを付与したもので、
ロール表面に凸部が複数設けられた凸ロールとロール表面に前記凸部が嵌入する凹部が複数設けられた凹ロールとからなり、前記嵌入時に前記凸部の周囲全体に前記凹部との間において空間が形成される異型のエンボスロールを用いて付与されている、ことを特徴とする吸収性物品。
【請求項２】
表面シートと、裏面シートと、これらの間に介在された吸収体とからなり、少なくとも前記表面シートに凹凸なエンボスを付与されている吸収性物品であって、
前記凹凸なエンボスは、
前記表面シートの肌当接面側から凹エンボスを肌非当接面側から凸エンボスを付与したもので、
ロール表面に凸部が複数設けられた凸ロールとロール表面に前記凸部が嵌入する凹部が複数設けられた凹ロールとからなり、前記嵌入時に前記凸部の周囲全体に前記凹部との間において空間が形成される異型のエンボスロールを用いて付与されている、ことを特徴とする吸収性物品。
【請求項３】
前記凹ロールは、相互に隣接する凹部の境界が格子状となっている、請求項１又は２記載の吸収性物品。
【請求項４】
前記凹ロールの格子状部の先端面に、幅狭の突部が設けられている、請求項３記載の吸収性物品。
【請求項５】
前記凸部は、先端面が円形で先端に向かって細くなる漏斗状となっている、請求項３又は４記載の吸収性物品。
【請求項６】
前記表面シートと前記吸収体との間にセカンドシートが介在され、前記表面シートと前記セカンドシートとが積層状態で前記凹凸なエンボスを付与されて貼り合わされている、請求項１〜５のいずれか１項に記載の吸収性物品。
【請求項７】
前記表面シートと前記吸収体とが積層状態で前記凹凸なエンボスを付与されて貼り合わされている、請求項１〜６のいずれか１項に記載の吸収性物品。
【請求項８】
ロール表面に凸部が複数設けられた凸ロールと、ロール表面に前記凸部が嵌入する凹部が複数設けられた凹ロールと、からなるエンボスロールで、表面シートを含む単層又は複数層からなるシートに凹凸なエンボスを付与し、この凹凸なエンボスが付与されたシートを備えた吸収性物品を製造する方法であって、
前記エンボスロールとして、前記嵌入時に前記凸部の周囲全体に前記凹部との間において空間が形成される異型のものを用いる、ことを特徴とする吸収性物品の製造方法。
【請求項９】
前記エンボスロールとして、前記凸部の先端面が円形で先端に向かって細くなる漏斗状の凸ロールと、相互に隣接する凹部の境界が格子状の凹ロールと、からなるものを用いる、請求項８記載の吸収性物品の製造方法。
【請求項１０】
前記凸ロール及び前記凹ロールに熱を加える場合において、
０．０１ｍｍ＜＝前記凸ロールと前記凹ロールとが最も接近する部位でのクリアランス＜＝エンボス対象の厚み計＜＝３．０ｍｍの関係を満たすようにする、請求項８又は請求項９記載の吸収性物品の製造方法。
【請求項１１】
前記凸ロール及び前記凹ロール間に、前記表面シートを含む単層又は複数層からなるシートを１００〜２５０ｍ／分で通し、前記凸ロール及び前記凹ロール間の油圧を１５〜６０ｋｇｆにする、請求項８〜１０のいずれか１項に記載の吸収性物品の製造方法。
【請求項１２】
４０℃＜前記凸ロールのロール表面温度＜前記凹ロールのロール表面温度＜２５０℃となるように、前記凸ロール及び前記凹ロールに熱を加える、請求項８〜１１のいずれか１項に記載の吸収性物品の製造方法。
【請求項１３】
前記表面シートを含む単層又は複数層からなるシートを、前記凸ロール上を通し前記凹ロールでニップして貼り合わせる、請求項８〜１２のいずれか１項に記載の吸収性物品の製造方法。
【請求項１４】
前記エンボスロールとして、エンボス付与部位の側方はニップしないものを用いる、請求項８〜１３のいずれか１項に記載の吸収性物品の製造方法。
【手続補正２】
【補正対象書類名】明細書
【補正対象項目名】全文
【補正方法】変更
【補正の内容】
【発明の詳細な説明】
【技術分野】
【０００１】
本発明は、紙おむつや、生理用ナプキン、尿取りパッド、失禁パッド等の吸収性物品及びその製造方法に関するものである。より詳しくは、表面シート、吸収体が、この順に備えられた吸収性物品及びその製造方法に関するものである。
【背景技術】
【０００２】
この種の吸収性物品としては、（１）吸収体の表面が表面シートで覆われたものや、（２）この改良形態として、体液の拡散性向上などが図られた、表面シートと吸収体との間にセカンドシートが介在されたもの、（３）この改良形態として、表面シートのよれ防止などが図られた、表面シートとセカンドシートとがホットメルト等の接着剤で接着されたもの、などがある（例えば、特許文献１、特許文献２参照。）。
【０００３】
しかしながら、これら（１）〜（３）の吸収性物品においては、表面シートが使用者の肌と擦れることになるため、かぶれ等の肌荒れが生じ易い。
【０００４】
一方、この種の吸収性物品の製造方法としては、図５に示すように、ロール表面１１１ａに凸部１１３が複数設けられた凸ロール１１１と、ロール表面１１２ａに凸部１１３が嵌入する凹部１１４が複数設けられた凹ロール１１２と、からなるエンボスロール１１０で、図６に示すように、表面シート１０１にエンボス１０３を付与して、このエンボス１０３が付与された表面シート１０１、吸収体１０２が、この順に備えられた吸収性物品１００を製造する方法がある。
【０００５】
この従来の方法において用いるエンボスロール１１０は、凸ロール１１１と凹ロール１１２とが同型であり、凸部１１３及びこれに対応する凹部１１４によってエンボス１０３が形成され、また、相互に隣接する凸部１１３間及びこの凸部１１３間に突き当たる相互に隣接する凹部１１４間によって相互に隣接するエンボス１０３間の肌当り部１０１ａが形成される。
【０００６】
しかしながら、この従来の方法によると、表面シート１０１は、肌当り部１０１ａの面積、つまり、使用者の肌と接触する部位の面積が広いものとなるため、得られる吸収性物品は、かぶれ等の肌荒れが生じ易いものとなる（例えば、特許文献３参照。）。
【特許文献１】特開２００２−１８７２２８号公報
【特許文献２】特開２００３−２５０８３６号公報
【特許文献３】特開平９−２３４２２１号公報
【発明の開示】
【発明が解決しようとする課題】
【０００７】
本発明が解決しようとする主たる課題は、肌との接触面積を減少させ、軟便の吸収性に優れ、肌荒れが生じにくい吸収性物品及びその製造方法を提供することにある。
【課題を解決するための手段】
【０００８】
この課題を解決した本発明は、次のとおりである。
〔請求項１記載の発明〕
表面シートと、裏面シートと、これらの間に介在された吸収体とからなり、少なくとも前記表面シートに凹凸なエンボスを付与されている吸収性物品であって、
前記凹凸なエンボスは、
前記表面シートの肌当接面側から凸エンボスを肌非当接面側から凹エンボスを付与したもので、
ロール表面に凸部が複数設けられた凸ロールとロール表面に前記凸部が嵌入する凹部が複数設けられた凹ロールとからなり、前記嵌入時に前記凸部の周囲全体に前記凹部との間において空間が形成される異型のエンボスロールを用いて付与されている、ことを特徴とする吸収性物品。
【０００９】
〔請求項２記載の発明〕
表面シートと、裏面シートと、これらの間に介在された吸収体とからなり、少なくとも前記表面シートに凹凸なエンボスを付与されている吸収性物品であって、
前記凹凸なエンボスは、
前記表面シートの肌当接面側から凹エンボスを肌非当接面側から凸エンボスを付与したもので、
ロール表面に凸部が複数設けられた凸ロールとロール表面に前記凸部が嵌入する凹部が複数設けられた凹ロールとからなり、前記嵌入時に前記凸部の周囲全体に前記凹部との間において空間が形成される異型のエンボスロールを用いて付与されている、ことを特徴とする吸収性物品。
【００１０】
〔請求項３記載の発明〕
前記凹ロールは、相互に隣接する凹部の境界が格子状となっている、請求項１又は２記載の吸収性物品。
【００１１】
〔請求項４記載の発明〕
前記凹ロールの格子状部の先端面に、幅狭の突部が設けられている、請求項３記載の吸収性物品。
【００１２】
〔請求項５記載の発明〕
前記凸部は、先端面が円形で先端に向かって細くなる漏斗状となっている、請求項３又は４記載の吸収性物品。
【００１３】
〔請求項６記載の発明〕
前記表面シートと前記吸収体との間にセカンドシートが介在され、前記表面シートと前記セカンドシートとが積層状態で前記凹凸なエンボスを付与されて貼り合わされている、請求項１〜５のいずれか１項に記載の吸収性物品。
【００１４】
〔請求項７記載の発明〕
前記表面シートと前記吸収体とが積層状態で前記凹凸なエンボスを付与されて貼り合わされている、請求項１〜６のいずれか１項に記載の吸収性物品。
【００１５】
（請求項１〜７の参考となる作用効果）
・  表面シートにエンボスが付与されており、しかも、このエンボスが凹凸な又は凸とフラットなものであると、使用者の肌との接触面積が減る。したがって、肌荒れが生じにくくなる。
【００１６】
・  エンボスが、表面シート及びセカンドシートに積層状態で付与されて、これにより、表面シートとセカンドシートとが貼り合わされていると、セカンドシート上において表面シートがよれることがなくなるため、表面シートのよれを原因とする肌荒れが生じにくくなる。
【００１７】
・  エンボスが、表面シート及びセカンドシートに積層状態で付与されて、これにより、表面シートとセカンドシートとが貼り合わされていると、表面シートとセカンドシートとを接着剤で接着する必要がなくなるため、接着剤によって表面シートがごわつくのが防止され、表面シートのごわつきを原因とする肌荒れが生じにくくなる。
【００１８】
・  エンボスが、表面シート、セカンドシート及び吸収体に積層状態で付与されて、これにより、表面シート、セカンドシート及び吸収体が貼り合わされていると、表面シート及びセカンドシートと吸収体とを接着剤で接着する必要がなくなるため、接着剤によって表面シート及びセカンドシートがごわつくのが防止され、表面シート及びセカンドシートのごわつきを原因とする肌荒れが生じにくくなる。
【００１９】
・  表面シートにエンボスが付与されているので、表面シートのフラット性が減り、したがって、尿・軟便の表面シート上での拡散が減る。
【００２０】
・  エンボスの深さが、このエンボスを付与された部材の厚み計（各部材の厚みを足した厚み）以上とされているので、表面シートの凹凸が鮮明になる。
【００２１】
・  エンボスの面積が、表面シート及びセカンドシートの積層面積（積層関係にある部位の面積）の５％以上とされているので、尿又は軟便が拡散するほとんどの部分にエンボスが入っていることになる。
【００２２】
・  エンボスが、表面シート側からセカンドシート側に向かって細くなる漏斗状とされているので、エンボスの中に尿や軟便が溜まる。したがって、肌と尿や軟便との接触が減る。
【００２３】
・  エンボスが、表面シート側からセカンドシート側に向かって細くなる漏斗状とされているので、表面シートから下層に吸収された尿や軟便が下層から戻りにくくなっている。したがって、荷重下の逆戻りが防止される。
【００２４】
・  エンボスロールを４０〜２５０℃に加熱してエンボスすることで、良好なエンボスパターンを付与することができる。
【００２５】
〔請求項８記載の発明〕
ロール表面に凸部が複数設けられた凸ロールと、ロール表面に前記凸部が嵌入する凹部が複数設けられた凹ロールと、からなるエンボスロールで、表面シートを含む単層又は複数層からなるシートに凹凸なエンボスを付与し、この凹凸なエンボスが付与されたシートを備えた吸収性物品を製造する方法であって、
前記エンボスロールとして、前記嵌入時に前記凸部の周囲全体に前記凹部との間において空間が形成される異型のものを用いる、ことを特徴とする吸収性物品の製造方法。
【００２６】
〔請求項９記載の発明〕
前記エンボスロールとして、前記凸部の先端面が円形で先端に向かって細くなる漏斗状の凸ロールと、相互に隣接する凹部の境界が格子状の凹ロールと、からなるものを用いる、請求項８記載の吸収性物品の製造方法。
【００２７】
〔請求項１０記載の発明〕
前記凸ロール及び前記凹ロールに熱を加える場合において、
０．０１ｍｍ＜＝前記凸ロールと前記凹ロールとが最も接近する部位でのクリアランス＜＝エンボス対象の厚み計＜＝３．０ｍｍの関係を満たすようにする、請求項８又は請求項９記載の吸収性物品の製造方法。
【００２８】
〔請求項１１記載の発明〕
前記凸ロール及び前記凹ロール間に、前記表面シートを含む単層又は複数層からなるシートを１００〜２５０ｍ／分で通し、前記凸ロール及び前記凹ロール間の油圧を１５〜６０ｋｇｆにする、請求項８〜１０のいずれか１項に記載の吸収性物品の製造方法。
【００２９】
〔請求項１２記載の発明〕
４０℃＜前記凸ロールのロール表面温度＜前記凹ロールのロール表面温度＜２５０℃となるように、前記凸ロール及び前記凹ロールに熱を加える、請求項８〜１１のいずれか１項に記載の吸収性物品の製造方法。
【００３０】
〔請求項１３記載の発明〕
前記表面シートを含む単層又は複数層からなるシートを、前記凸ロール上を通し前記凹ロールでニップして貼り合わせる、請求項８〜１２のいずれか１項に記載の吸収性物品の製造方法。
【００３１】
〔請求項１４記載の発明〕
前記エンボスロールとして、エンボス付与部位の側方はニップしないものを用いる、請求項８〜１３のいずれか１項に記載の吸収性物品の製造方法。
【００３２】
【００３３】
【００３４】
【００３５】
【００３６】
【００３７】
【００３８】
【００３９】
（請求項８〜１４の参考となる作用効果）
この効果は、後述する。
【発明の効果】
【００４０】
本発明によると、肌荒れが生じにくい吸収性物品及びその製造方法となる。
【発明を実施するための最良の形態】
【００４１】
次に、本発明の実施の形態を説明する。なお、本発明は、表面シートにエンボスが付与された形態（セカンドシートが存在しない形態も含む。）、表面シート及びセカンドシートにエンボスが付与された形態、表面シート、セカンドシート及び吸収体にエンボスが付与された形態のいずれをも含む。以下では、実施の形態として、表面シート及びセカンドシートにエンボスが付与された形態（セカンドシートが存在する形態）について説明するが、もちろん、これに限定する趣旨ではない。
【００４２】
〔用途〕
本発明の吸収性物品としては、例えば、紙おむつや、生理用ナプキン、尿取りパッド、失禁パッド等を例示することができる。以下、本実施の形態では、吸収性物品が、使い捨て紙おむつである場合を例に説明する。
【００４３】
〔使い捨て紙おむつ〕
{ HYPERLINK "http://www8.ipdl.ncipi.go.jp/Tokujitu/tjitemdrw.ipdl?N0000=235&N0500=4E_N/;%3e9=;769:///&N0001=50&N0552=9&N0553=000003" \t "tjitemdrw" ,  図１}及び図２に示すように、本実施の形態の使い捨て紙おむつ１０は、表面シート１と、裏面シート２と、これらのシート１，２の間に介在された吸収体３と、この吸収体３と表面シート１との間に介在されたセカンドシート４と、から主になる。
【００４４】
表面シート１及び裏面シート２は、本紙おむつ１０の平面外形と同じ形状とされており、その前後端部及び両側端部が、吸収体３の前後端縁又は両側端縁よりも前後方又は側方へ延出している。この表面シート１及び裏面シート２の側方への延出は、特に、長手方向前後端部において、長くなっている。この長く延出した部位には、例えば、図示しない止着テープ等が取り付けられる。また、表面シート１及び裏面シート２は、かかる延出部において、接合されている。この接合の方法は、特に限定されない。例えば、ホットメルト接着、超音波シール、ヒートシール（熱融着）、ヒートプレス（熱圧着）又はこれらの組み合わせによることができる。一方、吸収体３は、その全体が、クレープ紙やティシュペーパー等からなる被包シート５によって、被包されている。この被包によって、吸収体３の形状が保持される。
【００４５】
本形態の紙おむつ１０は、表面シート１及びセカンドシート４が、ホットメルト等の接着剤で貼り合わされていない。図３及び図４に示すように、表面シート１及びセカンドシート４が、ヒートエンボス及び超音波エンボスの少なくとも一方のエンボス６を、積層状態で付与されることによって、貼り合わされている。したがって、接着剤によって、表面シート１がごわごわしてしまい、肌荒れが生じ易くなる、との問題が生じない。また、エンボス６の付与により、表面シート１とセカンドシート４とが密着し、これらのシート１，４間に空隙が形成されてしまうことがなくなる。したがって、体液は直ちに吸収体３に吸収されることになり、かかる空隙に体液が留まり、この留まった体液が表面シート１を介して逆戻りするおそれがなくなる。なお、表面シート１及びセカンドシート４は、ホットメルト等の接着剤で貼り合わせることもできるが、その場合は、エンボスを付与しても表面シート１から接着剤がしみ出してこない、例えば、主成分：スチレン‐ブタジエン‐スチレンブロック共重合体、添加分：紫外線吸収剤添加、（臭気の原因となる）ロジン無添加、揮発分：２．０％以下、灰分：０．５％以下、１５０℃融解粘度：５０００±１５００ｍＰａ・ｓ（ＪＩＳ  Ｋ‐６８６２‐１９８４に準拠）、軟化度：８４．０±７．０℃（ＪＩＳ  Ｋ‐６８６３‐１９９４に準拠）のホットメルト接着剤を使用するのが好ましい。
【００４６】
本形態において、エンボス６は、凹凸又は凸とフラットとなっている。したがって、表面シート１と使用者の肌との接触面積が減り、肌荒れが防止される。
【００４７】
本形態のエンボス６は、以上の要件を満たす限り、形状，深さ、ピッチ等を、適宜設計変更することができる。ただし、エンボス６の深さＬは、表面シート１及びセカンドシート４の厚み計（表面シート１の厚みＭとセカンドシート４の厚みＮとを足した厚み。なお、表面シート１のみにエンボス６を付与した場合は、表面シート１の厚みで、表面シート１、セカンドシート４及び吸収体３にエンボス６を付与した場合は、表面シート１の厚みＭとセカンドシート４の厚みＮと吸収体の厚みとを足した厚みである。）以上とされているのが好ましい。エンボスの形状を鮮明に入れ、形状を保持するためである。例えば、表面シート１の厚みＭが０．１〜０．７ｍｍ、セカンドシート４の厚みＮが０．１〜１．０ｍｍの場合は、エンボス６の深さＬを０．２〜１．７ｍｍ、好ましくは０．２５〜４．０ｍｍとすることができる。
【００４８】
また、エンボス６の面積は、表面シート１及びセカンドシート４の積層面積（積層関係にある部位の面積）の５〜１００％とされているのが好ましく、２５〜８０％とされているのがより好ましい。エンボス６の面積が、表面シート１及びセカンドシート４の積層面積の５％以上とされていると、尿や軟便の表面シート１での拡散が減る。なお、図１に示すように、セカンドシート４が表面シート１で覆われている本形態では、エンボス面積１００％の場合の積層面積は、セカンドシート４の面積と同じである。
【００４９】
さらに、エンボス６は、図４に示すように、表面シート１側からセカンドシート４側に向かって細くなる漏斗状とされているのが好ましい。ヒートエンボス６が、表面シート１側からセカンドシート４側に向かって細くなる漏斗状とされていると、ヒートエンボス６の中に尿や軟便が溜まる。したがって、肌と尿や軟便との接触が減る。また、エンボス６が、表面シート１側からセカンドシート４側に向かって細くなる漏斗状とされていると、表面シート１から下層に吸収された尿や軟便が下層から戻りにくくなる。したがって、荷重下の逆戻りが防止される。
【００５０】
エンボス６を漏斗状とする場合は、直径Ｄを１．０〜５．０ｍｍ、好ましくは１．８〜３．６ｍｍ、ピッチＰを１．０〜５．０ｍｍ、好ましくは２．５〜３．５ｍｍとすることができる。
【００５１】
また、エンボス６は、漏斗状とするか否かに関わらず、ヒートエンボスとする場合、４０〜２５０℃で付与されているのが好ましく、８０〜２５０℃で付与されているのがより好ましい。エンボス温度が４０℃未満であると、十分なエンボスパターンが入らず、２５０℃を超えるとシートが硬くなる。また、ヒートエンボスが８０℃以上で付与されていると、ＣＯ−ＰＰなどの融点の低い繊維が完全に溶けるわけではなく、表面層が溶け、表面層と表面層とが接着する。また、ヒートエンボスが２５０℃以下で付与されていると、ＰＥＴ、アセテートなどの融点が高い素材なども表面層のみが溶け、繊維間同士が接着する。
【００５２】
柔らかいシートを得るために、エンボスを付与するシートの原料繊維には、ポリオレフィン、特にポリエチレンやポリプロピレンが好適に用いられるが、これらの樹脂は融点が１００〜１７０℃の温度範囲にあるものが一般的であるため、これらの樹脂を原料とする繊維、またはこれらの樹脂を複合した繊維により形成された不織布にエンボスを付与する場合は、エンボス温度は８０〜１８０℃で付与するのが好ましい。また、表面シートとセカンドシートの良好な接着と柔らかさを両立する上では、１００〜１３０℃で付与されているのが特に好ましい。
【００５３】
〔使い捨て紙おむつの製造方法〕
本形態の製造方法においては、図７に示すような、ロール表面に凸部３３が複数設けられた凸ロール３１と、ロール表面に凸部３３が嵌入する凹部３４が複数設けられた凹ロール３２と、からなるエンボスロール４０で、表面シート１及びセカンドシート４にエンボスを付与する。そして、エンボスロール４０として、凸ロール３１と凹ロール３２とが異型のものを用いる。これにより、表面シート１及びセカンドシート４は、使用者の肌と接触する部位の面積が狭いものとなるため、得られる使い捨て紙おむつ１０等の吸収性物品は、かぶれ等の肌荒れが生じにくいものとなる。ここで、凸ロール３１と凹ロール３２とが異型であるとは、凸ロール３１のパターン形状と凹ロール３２のパターン形状とが異なる（一方のロールがプレーン（フラット）であってもよい。）ことをいう。
【００５４】
本形態においては、凸ロール３１と凹ロール３２とが、それぞれどのよう形状で異型となっているかは、特に限定されない。ただし、図８及び図９に示すように、凸部３３が、例えば、先端面は、円形、楕円形、正方形、長方形、菱形等の、図示例では菱形である逆すり鉢状で、かつ、図１０及び図１１に示すように、相互に隣接する凹部３４の境界が格子状（格子状部３６）となっているのが好ましい。この形態によると、凸ロール３１及び凹ロール３２のニップ状態が、図１２及び図１３に示すようになるため（なお、図１３においては、凸ロール３１を点線で示しているが、これは凸ロール３１と凹ロール３２とを明確に区別するためであり、陰線とする趣旨ではない。）、表面シート１及びセカンドシート４に、凸部３３及びこれと対応する凹部３４によって形成されたカップ部と、相互に隣接する凸部間３５及びこの凸部間３５に嵌入する格子状部３６によって形成された肌当り部と、を有するエンボスが付与される。したがって、得られる使い捨て紙おむつ１０等の吸収性物品は、カップ部によって尿や軟便が保持される、肌当り部によって尿や軟便の拡散が阻止される、使用者の肌と接触する部位が肌当り部のみとなり、肌との接触面積が狭くなるため、肌荒れが生じにくくなる、カップ部及び肌当り部によってワッフル調となるため、柔らか感を与える、ものとなる。
【００５５】
また、凸ロール３１と凹ロール３２とが異型となっている形態としては、図１４及び図１５に示すように、凸部３３が、例えば、先端面は、円形、楕円形、正方形、長方形、菱形等の、図示例では円形である逆すり鉢状で、かつ、図１６〜１８に示すように、相互に隣接する凹部３４の境界が稜線状等の格子状（格子状部３６）となっており、この格子状部３６の先端面に幅狭の突部３７が設けられた形態も、好ましいものとして例示することができる。本形態によると、凸ロール３１及び凹ロール３２のニップ状態が、図１９〜２１に示すようになる（なお、図２０及び図２１においては、凸ロール３１を点線で示しているが、これは凸ロール３１と凹ロール３２とを明確に区別するためであり、陰線とする趣旨ではない。）。したがって、表面シート１及びセカンドシート４に形成されるエンボスは、先の形態と同様に、凸部３３及びこれと対応する凹部３４によって形成されたカップ部、及び、相互に隣接する凸部間３５及びこの凸部間３５に嵌入する格子状部３６によって形成された肌当り部と、を有するものになり、先の形態と同様の作用効果を有するものとなる。加えて、本形態では、格子状部３６の先端面に幅狭の突部３７が設けられているため、肌当り部がより狭いものとなり、得られる使い捨て紙おむつ１０等の吸収性物品は、肌との接触面積がより狭くなって、一段と肌荒れが生じくいものとなる。また、同様に、本形態では、格子状部３６の先端面に幅狭の突部３７が設けられているため、肌当り部がより鮮明に付与されることになり、得られる使い捨て紙おむつ１０等の吸収性物品は、一段とワッフル調の柔らか感を与えるものとなる。さらに、凹凸を逆パターンにすれば、凸部３３のみが肌と接するようになるため、肌との接触面積が減り、ふっくら柔らかいキルト調のパターンとすることができる。
【００５６】
本形態において、エンボスを付与するにあたっては、３０ｍｍ＜＝エンボスを付与する幅＜＝セカンドシート４の幅＜＝１２０ｍｍ＜＝表面シート１の幅＜＝２５０ｍｍの関係を満たすようにするのが好ましく、７０ｍｍ＜＝エンボスを付与する幅＜＝セカンドシート４の幅＜＝９０ｍｍ＜＝表面シート１の幅＜＝１８０ｍｍの関係を満たすようにするのがより好ましい。エンボスを付与する幅が３０ｍｍ未満であると、エンボス効果（便吸収・肌面積）が得られにくく、表面シート１とセカンドシート４との接着強度が実使用に耐えられなくなる（剥がれる）。セカンドシート４の幅が１２０ｍｍを超えると、他シートの接着部位の強度が落ち好ましくない。表面シート１の幅が１２０ｍｍ未満であると、表面シート１に他シート（ギャザーシートなど）を接着できなくなり、また、接着性も弱く好ましくない。表面シート１の幅が２５０ｍｍを超えると、吸収体３に巻き込ますか、カットするかしかなく、無駄な資材となる。
【００５７】
また、本形態においては、０．１０ｍｍ＜＝表面シート１の厚み＜＝セカンドシート４の厚み＜＝２．５０ｍｍで、かつ、１５ｇ／ｍ2＜＝表面シート１の目付け＜＝セカンドシート４の目付け＜＝８０ｇ／ｍ2の関係を満たすようにするのが好ましく、０．１５ｍｍ＜＝表面シート１の厚み＜＝セカンドシート４の厚み＜＝２．８５ｍｍで、かつ、２０ｇ／ｍ2＜＝表面シート１の目付け＜＝セカンドシート４の目付け＜＝４０ｇ／ｍ2の関係を満たすようにするのがより好ましい。表面シート１の厚みが０．１５ｍｍ未満であると、不織布自体の製造が困難であり、また、疎密や濃淡ムラによりエンボスの見栄えに悪影響を与える。表面シート１の厚みがセカンドシート４の厚みを超えると、表面シート１に尿や便を保持し、吸収体３へのひきこみを悪くするおそれがある。セカンドシート４の厚みが２．３５ｍｍを超えると、目付けがあがりコストアップとなる。また、表面シート１の目付けが１５ｇ／ｍ2未満であると、不織布自体の製造が困難であり、また、疎密や濃淡ムラによりエンボスの見栄えに悪影響を与える。表面シート１の目付けがセカンドシート４の目付けを超えると、表面シート１に尿や便を保持し、吸収体３へのひきこみを悪くするおそれがある。セカンドシート４の目付けが８０ｇ／ｍ2を超えると、目付けがあがりコストアップとなる。さらに、表面シート１及びセカンドシート４の厚み及び目付けを同時に限定するのは、エンボスの見栄えと吸収性とのバランスをとるためである。
【００５８】
本形態において、エンボスを付与するにあたって、凸ロール３１及び凹ロール３２に熱を加える場合においては、０．０１ｍｍ＜＝凸ロール３１と凹ロール３２とのクリアランス＜＝表面シート１及びセカンドシート４の厚み計（表面シート１の厚みＭとセカンドシート４の厚みＮとを足した厚み。）＜＝３．０ｍｍの関係を満たすようにするのが好ましく、０．０５ｍｍ＜＝凸ロール３１と凹ロール３２とのクリアランス＜＝表面シート１及びセカンドシート４の厚み計＜＝２．５０ｍｍの関係を満たすようにするのがより好ましい。クリアランスが０．０１ｍｍ未満であると、表面シート１及びセカンドシート４全体に熱が加わるため、両シート１，４が溶けて硬くなるおそれがある。また、高速で製造する場合においては、振動により凸ロール３１と凹ロール３２が互いに干渉し合い、異音の発生や設備部品の破損に至ることもある。クリアランスが表面シート１及びセカンドシート４の厚み計を超えると、エンボスパターンがはいらない。クリアランスが３．０ｍｍを超えると、エンボスが鮮明に付与されず、また、表面シート１及びセカンドシート４がヒートシールされないおそれがある。
【００５９】
また、エンボスを付与するにあたって、凸ロール３１及び凹ロール３２間に、表面シート１及びセカンドシート４を１００〜２５０ｍ／分で通す場合においては、凸ロール３１及び凹ロール３２間の油圧を１５〜６０ｋｇｆにするのが好ましく、２０〜４０ｋｇｆにするのがより好ましい。油圧を１５ｋｇｆ以上にするのは、エンボス付与装置の振動によってエンボスロール４０にブレが生じ、設計どおりにエンボスが付与されなくなるのを回避するためである。他方、油圧を６０ｋｇｆ以下にするのは、エンボス付与装置の機械負荷を取り除き寿命延命を図るためである。
【００６０】
以上のように凸ロール３１及び凹ロール３２に熱を加えるにあたっては、８０℃＜凸ロール３１のロール表面温度＜凹ロール３２のロール表面温度＜２５０℃となるようにするのが好ましい。凸ロール３１のロール表面温度が凹ロール３２のロール表面温度以上であると、格子のパターンが入る前に凸パターンが鮮明になり過ぎて硬くなる。
【００６１】
また、凸ロール３１及び凹ロール３２のロール表面温度をいかなる温度とするかに関わらず、表面シート１の構成素材とセカンドシート４の構成素材とは、同一とするのが好ましい。ヒートシール力が増すためである。ここで、構成素材の同一性とは、原料（例えば、ポリエステル製、ポリエチレン製等。）や、構成繊維の太さ（デニール）・繊維長、製法（例えば、スパンボンド、メルトブローン等。）などが、広く同一であるか否かを意味する。
【００６２】
エンボスの付与、表面シート１及びセカンドシート４の貼り合わせは、図７に示すような、凸ロール３１が上側に、凹ロール３２が下側に配置されたエンボスロール４０を用いて行うことができるが、例えば、凸ロール３１が下側に、凹ロール３２が上側に配置されたエンボスロールを用い、表面シート１及びセカンドシート４を、凸ロール３１上を通し凹ロール３２でニップして行うのも好ましい形態である。この形態によると、凸ロール３１によって表面シート１及びセカンドシート４を持ち上げ、凹ロール３２によってシールすることになるため、表面シート１及びセカンドシート４がふっくらし、柔らかさを有するものとなる。
【００６３】
また、エンボス付与にあたっては、エンボスロールとして、エンボス付与部位の側方はニップしないものを用いるのが好ましい。表面シート１やセカンドシート４のエンボス付与部位の側方に、シワが入るのを防止する趣旨である。エンボス付与部位の側方をニップしないための、具体的な形状は、特に限定されない。例えば、凸ロール３１及び凹ロール３２を、エンボス付与部位と同じ幅とすることや、図７に示すように、凸ロール３１及び凹ロール３２の少なくともいずれか一方を、エンボス付与部位の側方３１Ａにおいて、細径とすることなどができる。
【００６４】
〔各部材の素材等〕
（表面シート１）
表面シート１は、尿や血液等の体液を透過する性質を有する。したがって、表面シート１の素材は、この体液透過性を発現するものであれば足り、例えば、有孔又は無孔の不織布や、多孔性プラスチックシートなどを例示することができる。また、このうち不織布は、その原料繊維が何であるかを、特に限定されない。例えば、ポリエチレンやポリプロピレン等のオレフィン系、ポリエステル系、ポリアミド系等の合成繊維、レーヨンやキュプラ等の再生繊維、綿等の天然繊維などや、これらから二種以上が使用された混合繊維などを例示することができる。さらに、不織布は、どのような加工によって製造されたものであってもよい。加工方法としては、公知の方法、例えば、スパンレース法、スパンボンド法、サーマルボンド法、メルトブローン法、ニードルパンチ法等を例示することができる。例えば、柔軟性、ドレープ性を求めるのであれば、スパンレース法が、嵩高性、ソフト性を求めるのであれば、サーマルボンド法が、好ましい加工方法となる。
【００６５】
また、本表面シート１は、１枚のシートからなるものであっても、２枚以上のシートが積層されてなる積層シートからなるものであってもよい。同様に、表面シート１は、平面方向に関して、１枚のシートからなるものであっても、２枚以上のシートからなるものであってもよい。
【００６６】
（裏面シート２）
裏面シート２は、体液を透過しない性質を有する。したがって、裏面シート２の素材は、この体液不透過性を発現するものであれば足り、例えば、ポリエチレンやポリプロピレン等のオレフィン系樹脂や、ポリエチレンシート等に不織布を積層したラミネート不織布、防水フィルムを介在させて実質的に不透液性を確保した不織布（この場合は、防水フィルムと不織布とで体液不透過性の裏面シート２が構成される。）などを例示することができる。もちろん、このほかにも、近年、ムレ防止の観点から好まれて使用されている不透液性かつ透湿性を有する素材も例示することができる。この不透液性かつ透湿性を有する素材のシートとしては、例えば、ポリエチレンやポリプロピレン等のオレフィン系樹脂中に無機充填剤を混練して、シートを成形した後、一軸又は二軸方向に延伸して得られた微多孔性シートを例示することができる。
【００６７】
（吸収体３）
吸収体３は、体液を吸収し保持する性質を有する。したがって、吸収体３の素材は、この体液吸収・保持性を発現するものであれば足りる。例えば、綿状パルプや合成パルプなどのパルプ単体からなるものや、フラッフ状パルプ中に、粒状粉などとされた吸収性ポリマーが混入されたものなどの、公知の素材を例示することができる。また、このうちのパルプの原料繊維は、特に限定されず、例えば、機械パルプ、化学パルプ、溶解パルプ等の木材から得られるセルロース繊維や、レーヨン、アセテート等の人工セルロース繊維などを例示することができる。ただし、セルロース繊維の原材料となる木材は、広葉樹より針葉樹の方が、繊維長が長いため、機能及び価格の面で好ましい。
【００６８】
さらに、吸収体３は、セルロースアセテート等のトウからなる繊維集合体で形成することや、このトウからなる繊維集合体内に吸収性ポリマーを移動させて得た吸収材で形成することもできる。
【００６９】
（セカンドシート４）
セカンドシート４は、体液を拡散し透過する性質を有する。したがって、セカンドシート４の素材は、この体液拡散・透過性を発現するものであれば足り、例えば、表面シート１と同様の素材などを例示することができる。ただし、例えば、スパンレース、パルプ不織布、パルプとレーヨンとの混合シート、ポイントボンド又はクレープ紙であると、好ましいものとなる。また、セカンドシート４は、表面シート１よりも体液の透過性がよいものが特に好ましく、表面シート１よりも繊維密度が小さい、例えば、ポリプロピレン、ポリエチレン、ポリエチレンテレフタレート、ポリアミド、ナイロン、レーヨン、ビニロン、アクリル等からなる不織布であると、特に好ましいものとなる。
【００７０】
（被包シート５）
被包シート５は、体液を透過する性質を有する。したがって、表面シート１やセカンドシート４として例示したのと同様の素材を例示することができる。
【産業上の利用可能性】
【００７１】
本発明は、例えば、紙おむつや、生理用ナプキン、尿取りパッド、失禁パッド等の吸収性物品及びその製造方法として、適用可能である。
【図面の簡単な説明】
【００７２】
【図１】吸収性物品の平面図である。
【図２】図１のＩ−Ｉ線断面図である。
【図３】表面シートの拡大図である（一部）。
【図４】図３のＩＩ−ＩＩ線断面図である（一部）。
【図５】従来のエンボスロールの正面図である。
【図６】従来の吸収性物品の断面模式図である（要部）。
【図７】本形態のエンボスロールの正面図である。
【図８】本形態の凸ロールの平面図である。
【図９】図８のＩＩＩ−ＩＩＩ線断面図である。
【図１０】本形態の凹ロールの平面図である。
【図１１】図１０のＩＶ−ＩＶ線断面図である。
【図１２】本形態の凸ロール及び凹ロールを付き合わせた状態の平面図である。
【図１３】図１２のＶ−Ｖ線断面図である。
【図１４】本形態の凸ロールの平面図である。
【図１５】図１４のＶＩ−ＶＩ線断面図である。
【図１６】本形態の凹ロールの平面図である。
【図１７】図１６のＶＩＩ−ＶＩＩ線断面図である。
【図１８】図１６のＶＩＩＩ−ＶＩＩＩ線断面図である。
【図１９】本形態の凸ロール及び凹ロールを付き合わせた状態の平面図である。
【図２０】図１９のＩＸ−ＩＸ線断面図である。
【図２１】図１９のＸ−Ｘ線断面図である。
【符号の説明】
【００７３】
１…表面シート、２…裏面シート、３…吸収体、４…セカンドシート、５…被包シート、６…ヒートエンボス、１０…紙おむつ、３１，１１１…凸ロール、３２，１１２…凹ロール、３３，１１３…凸部、３４，１１４…凹部、３５…凸部間、３６…格子状部、４０，１１０…エンボスロール、１００…吸収性物品（使い捨て紙おむつ等）、１０１…表面シート、１０２…吸収体。
【国際調査報告】
2007043474.tif 000024
2007043474.tif 000025
2007043474.tif 000026
2007043474.tif 000027